【手続補正書】
【提出日】平成28年5月23日(2016.5.23)
【手続補正１】
【補正対象書類名】特許請求の範囲
【補正対象項目名】全文
【補正方法】変更
【補正の内容】
【特許請求の範囲】
【請求項１】
撮像手段が撮像する撮像画像を取得する第１の取得手段と、
撮像画像を記録する記録手段から撮像画像を取得する第２の取得手段と、
表示手段の表示画面における第１の表示領域に前記第１の取得手段が取得した撮像画像を表示させ、前記表示画面における第２の表示領域に前記第２の取得手段が取得した撮像画像を表示させる場合に、前記第２の取得手段が取得した撮像画像に対応する撮像領域を撮影するように前記撮像手段の撮像方向を向ける制御を行う制御手段と、
前記制御手段によって制御された撮像方向において前記撮像手段が撮像する撮像画像を前記第１の表示領域に表示させ、前記第２の取得手段が取得した撮像画像を前記第２の表示領域に表示させる制御を行う表示制御手段と
を有することを特徴とする表示制御装置。
【請求項２】
撮像手段が撮像する撮像画像を取得する第１の取得手段と、
撮像画像を記録する記録手段から撮像画像を取得する第２の取得手段と、
表示手段の表示画面における第１の表示領域に前記第１の取得手段が取得した撮像画像の一部又は全体を表示させ、前記表示画面における第２の表示領域に前記第２の取得手段が取得した撮像画像を表示させる場合に、前記第１の取得手段が取得した撮像画像から、前記第２の表示領域に表示される撮像画像に対応する撮像領域の撮像画像を切り出す切出手段と、
前記切出手段が切り出した前記撮像画像を前記第１の表示領域に表示させ、前記第２の取得手段が取得した撮像画像を前記第２の表示領域に表示させる制御を行う表示制御手段と
を有することを特徴とする表示制御装置。
【請求項３】
前記第１の取得手段は、第１の撮像手段から撮像画像を取得し、
前記第２の取得手段は、前記記録手段から前記第１の撮像手段が撮像した撮像画像を取得し、
前記制御手段は、前記第１の表示領域に前記第１の取得手段が取得した撮像画像を表示させ、前記第２の表示領域に前記第２の取得手段が取得した撮像画像を表示させる場合に、前記第２の取得手段が取得した撮像画像が撮像された撮像方向に対応する撮像方向に前記撮像手段の撮像方向を向ける制御を行うことを特徴とする請求項１に記載の表示制御装置。
【請求項４】
前記第２の取得手段が取得した撮像画像の一部を切り出す第１の切出手段と、
前記第１の切出手段が切り出した撮像画像と撮像領域が対応する撮像画像を前記第１の取得手段が取得した撮像画像から切り出す第２の切出手段とを有し、
前記第１の取得手段は、第１の撮像手段から撮像画像を取得し、
前記第２の取得手段は、前記記録手段から前記第１の撮像手段が撮像した撮像画像を取得し、
前記表示制御手段は、前記第１の切出し手段が切り出した撮像画像を前記第２の表示領域に表示させ、前記第２の切出手段が切り出した撮像画像を前記第１の表示領域に表示させる制御を行う
ことを特徴とする請求項１に記載の表示制御装置。
【請求項５】
前記撮像手段の撮像方向を変更するための制御権を前記表示制御装置が有するか否かを判定する判定手段と、
前記第１の取得手段が取得した撮像画像の一部を切り出す切出手段とを有し、
前記制御権を前記表示制御装置が有さないと判定した場合、前記制御手段は、前記撮像手段の撮像方向を変更する制御を行わず、
前記制御権を前記表示制御装置が有さないと判定した場合、前記切出手段は、前記第１の取得手段が取得した撮像画像から前記第２の取得手段が取得した撮像画像に対応する撮像領域の撮像画像を切出し、
前記制御権を前記表示制御装置が有さないと判定した場合、前記表示制御手段は、前記切出手段が切り出した前記撮像画像を前記第１の表示領域に表示させ、前記第２の取得手段が取得した撮像画像を前記第２の表示領域に表示させる制御を行うことを特徴とする請求項１に記載の表示制御装置。
【請求項６】
前記判定手段が前記制御権を前記表示制御装置が有さないと判定した場合であって、前記切出手段が前記第１の取得手段が取得した撮像画像から前記第２の取得手段が取得した撮像画像の一部に対応する撮像領域の撮像画像を切出した場合、前記表示制御手段は、前記切出手段が切り出した前記撮像画像と所定の画像とを前記第１の表示領域に表示させることを特徴とする請求項５に記載の表示制御装置。
【請求項７】
前記第１の取得手段は第１の撮像手段から撮像画像を取得し、
前記第２の取得手段は、前記記録手段から前記第１の撮像手段と異なる第２の撮像手段が撮像した撮像画像を取得することを特徴とする請求項１又は２に記載の表示制御装置。
【請求項８】
撮像手段が撮像する撮像画像を取得する第１の取得工程と、
撮像画像を記録する記録手段から撮像画像を取得する第２の取得工程と、
表示手段の表示画面における第１の表示領域に前記第１の取得工程によって取得した撮像画像を表示させ、前記表示画面における第２の表示領域に前記第２の取得工程によって取得した撮像画像を表示させる場合に、前記第２の取得工程によって取得した撮像画像に対応する撮像領域を撮影するように前記撮像手段の撮像方向を向ける制御を行う制御工程と、
前記制御工程によって制御された撮像方向において前記撮像手段が撮像する撮像画像を前記第１の表示領域に表示させ、前記第２の取得工程によって取得した撮像画像を前記第２の表示領域に表示させる制御を行う表示制御工程と
を有することを特徴とする表示制御方法。
【請求項９】
撮像手段が撮像する撮像画像を取得する第１の取得工程と、
撮像画像を記録する記録手段から撮像画像を取得する第２の取得工程と、
表示手段の表示画面における第１の表示領域に前記第１の取得工程によって取得した撮像画像の一部又は全体を表示させ、前記表示画面における第２の表示領域に前記第２の取得工程によって取得した撮像画像を表示させる場合に、前記第１の取得工程によって取得した撮像画像から、前記第２の表示領域に表示される撮像画像に対応する撮像領域の撮像画像を切り出す切出工程と、
前記切出工程によって切り出した前記撮像画像を前記第１の表示領域に表示させ、前記第２の取得工程によって取得した撮像画像を前記第２の表示領域に表示させる制御を行う表示制御工程と
を有することを特徴とする表示制御方法。
【請求項１０】
請求項１〜７のいずれか１項に記載の表示制御装置の各手段としてコンピュータを機能させることを特徴とするプログラム。
【手続補正２】
【補正対象書類名】明細書
【補正対象項目名】発明の名称
【補正方法】変更
【補正の内容】
【発明の名称】表示制御装置、表示制御方法、プログラム
【手続補正３】
【補正対象書類名】明細書
【補正対象項目名】００１７
【補正方法】変更
【補正の内容】
【００１７】
上述の目的を達成するため、本発明に係る表示制御装置は、撮像手段が撮像する撮像画像を取得する第１の取得手段と、撮像画像を記録する記録手段から撮像画像を取得する第２の取得手段と、表示手段の表示画面における第１の表示領域に前記第１の取得手段が取得した撮像画像を表示させ、前記表示画面における第２の表示領域に前記第２の取得手段が取得した撮像画像を表示させる場合に、前記第２の取得手段が取得した撮像画像に対応する撮像領域を撮影するように前記撮像手段の撮像方向を向ける制御を行う制御手段と、前記制御手段によって制御された撮像方向において前記撮像手段が撮像する撮像画像を前記第１の表示領域に表示させ、前記第２の取得手段が取得した撮像画像を前記第２の表示領域に表示させる制御を行う表示制御手段とを有する。
【手続補正４】
【補正対象書類名】明細書
【補正対象項目名】００１８
【補正方法】変更
【補正の内容】
【００１８】
または、上述の目的を達成するため、本発明に係る表示制御装置は、撮像手段が撮像する撮像画像を取得する第１の取得手段と、撮像画像を記録する記録手段から撮像画像を取得する第２の取得手段と、表示手段の表示画面における第１の表示領域に前記第１の取得手段が取得した撮像画像の一部又は全体を表示させ、前記表示画面における第２の表示領域に前記第２の取得手段が取得した撮像画像を表示させる場合に、前記第１の取得手段が取得した撮像画像から、前記第２の表示領域に表示される撮像画像に対応する撮像領域の撮像画像を切り出す切出手段と、前記切出手段が切り出した前記撮像画像を前記第１の表示領域に表示させ、前記第２の取得手段が取得した撮像画像を前記第２の表示領域に表示させる制御を行う表示制御手段とを有する。